(57)【要約】本発明は、異なる種類の相並んで延在する供給導線又は別の細長い構成部材を相互に固定し且つ／又は支持体構成部材に固定することのできる導線ホルダに関する。この導線ホルダは、収容部材（１）と、該収容部材に形成された、当該導線横断面に適合された保持凹部（５）と、これらの保持凹部（５）の両側に一体成形された、互いに向かって傾斜された緊締脚部（６）と、収容部材（１）の上位に折り返すことのできる位置固定フレーム（２）と、該位置固定フレームに、収容部材（１）の保持凹部（５）に対して相補的に形成された、やはり導線横断面に適合された対応凹部（１６）とから成っており、収容部材（１）及び位置固定フレーム（２）の両端部に係止部材（１８）が一体成形されており、該係止部材が、位置固定フレーム（２）を収容部材（１）の上位に折り返すと相互に係止し合う。このような導線ホルダでは、異なる保持凹部（５）において緊締脚部（６）によって規定された緊締域が互いにずらされていると、特に導線セット時に障害が発生すること無く、複数の又は比較的多数の導線を、従来よりも小さなスペースで１つの導線ホルダに保持することができる。
2005536972.tif 000002
【特許請求の範囲】
【請求項１】
相並んで延在する異なる種類の供給導線又は別の細長い構成部材を支持体構成部材に固定するため及び／又は前記のような相並んで延在する供給導線又は細長い構成部材を相互に固定するための導線ホルダであって、収容部材と、該収容部材に形成された、当該導線横断面に適合された保持凹部と、これらの保持凹部の両側に一体成形された、互いに向かって傾斜した緊締脚部と、収容部材の上位に折り返すことのできる位置固定フレームと、該位置固定フレームに、収容部材の保持凹部に対して相補的に形成された、やはり導線横断面に適合された対応凹部とから成っており、しかも、収容部材及び位置固定フレームの両端部に、位置固定フレームを収容部材の上位へ折り返すと相互に係止し合う係止部材が一体成形されている形式のものにおいて、
緊締脚部（６）によって規定される、異なる保持凹部（５）の緊締域が互いにずらされていることを特徴とする、導線ホルダ。
【請求項２】
緊締脚部（６）が互いに向かって傾斜した緊締ノーズ（７）を以て、重なり合って位置する２平面内で保持凹部（５，５'）を囲んでいる、請求項１記載の導線ホルダ。
【請求項３】
１平面内で相並んで延在する２つの保持凹部（５）が、低い隔壁（３）によって互いに分離されており且つ両側で高く引き上げられた２つの緊締脚部（６）によって囲まれており、これらの緊締脚部（６）の自由端部に、互いに向かって傾けられ且つ曲げられた緊締ノーズ（７）が形成されており、これらの緊締ノーズが、隔壁（３）の湾曲された端面（８）と相俟って、別の供給導線のための別の保持凹部（５）を規定している、請求項１記載の導線ホルダ。
【請求項４】
相並んで延在する２つの保持凹部（５）の隣り合った緊締脚部（６）が、収容しようとする導線の長手方向で、収容部材（１）の１部分区分にわたってのみ延びており且つ前記長手方向で見て互いにずらされている、請求項１記載の導線ホルダ。
【請求項５】
相並んで延在する２つの保持凹部（５）の隣り合った緊締脚部（６）が、収容しようとする導線の長手方向で、収容部材（１）の１部分区分にわたってのみ延びており且つ長手方向でも横方向でも互いにずらされており、しかも、当該緊締脚部が横方向で部分的にオーバラップしている、請求項１記載の導線ホルダ。
【請求項６】
相並んで延在する複数の保持凹部（５）の両緊締脚部（６）が、収容しようとする導線の長手方向で、収容部材（１）の１部分区分にわたってのみ延びており且つ互いに接触すること無く、対で長手方向でも横方向でも相互にずらされており、２つの保持凹部（５）の隣接した緊締脚部（６）が、それぞれ部分的にオーバラップしている、請求項１記載の導線ホルダ。
【請求項７】
少なくとも１つの保持凹部（５）の緊締脚部（６）が、それぞれ収容しようとする導線の長手方向で互いにずらされている、請求項６記載の導線ホルダ。
【請求項８】
方形輪郭の収容部材（１）と方形輪郭の位置固定フレーム（２）両方の短辺側にも長辺側にも、位置固定フレーム（２）を収容部材（１）の上位に折り返すと互いに内外で係止し合う係止部材（１８，２０，２１）が設けられている、請求項１記載の導線ホルダ。
【請求項９】
収容部材（１）において、支持体構成部材に導線ホルダを固定するための貫通孔（１２）を備えた固定柱（１１）が、自体公知の形式で保持凹部（５）間に一体成形されており、固定柱（１１）に、側方に突出する係止ノーズ（２０）が設けられており、これらの係止ノーズが、位置固定フレーム（２）を収容部材（１）の上位に折り返すと、位置固定フレーム（２）の縁部（１５）から内向きに突出する爪（２１）と相俟って係止する、請求項８記載の導線ホルダ。
【発明の詳細な説明】
【技術分野】
【０００１】
本発明は、相並んで延在する異なる種類の供給導線又は別の細長い構成部材を支持体構成部材に固定するため及び／又は前記のような相並んで延在する供給導線又は細長い構成部材を相互に固定するための導線ホルダであって、収容部材と、該収容部材に形成された、当該導線横断面に適合された保持凹部と、これらの保持凹部の両側に一体成形された緊締脚部と、収容部材の上位に折り返すことのできる位置固定フレームと、該位置固定フレームに、収容部材の保持凹部に対して相補的に形成された、やはり導線横断面に適合された対応凹部とから成っており、しかも、収容部材及び位置固定フレームの両端部に、位置固定フレームを収容部材の上位へ折り返すと相互に係止し合う係止部材が一体成形されている形式のものに関する。
【０００２】
特に車両製造において、異なる種類の、即ち例えば燃料及び／又は電流ケーブル用の複数の供給導線をできるだけ狭いスペースに収納すると同時に、相互に且つ例えば車体パネル等の支持体構成部材に対しても位置固定するという要求がある。この場合、供給導線は勿論相互に妨害し合うことは許されず、供給導線の組込みも不必要に妨げられることは許されない。ドイツ連邦共和国特許出願公開第３８０２６９８号明細書に基づき公知の導線ホルダでは、一方の側に、ピンに被せ嵌めることのできる緊締体の他に１保持凹部が設けられており、他方の側に、導管用の相並んだ２つの保持凹部が設けられている。この場合、各保持凹部には２つの緊締脚部が所属しており、これらの緊締脚部は、当該導管をクリップ状に取り囲んでいる。この場合、相並んで配置された２つの保持凹部の隣り合った緊締脚部は互いに間隔を保持しており、この間隔には、導線セット後に位置固定フレームが閉じられると、この位置固定フレームが緊締部材を以て係合する。保持凹部と隣り合った緊締脚部との間の間隔に基づいて、導線は組込みに際しても損傷はされない。他方では、この公知の導線ホルダは全部で３本だけの供給導線のために比較的多くのスペースを必要とし、このことは、別の供給導線が加えられた場合に、更に不利な結果をもたらす。
【０００３】
ドイツ連邦共和国特許出願公開第２４４６１３３号明細書に基づき公知の導線ホルダでは、収容部材に一体成形された、種々様々な導線の隣り合った緊締脚部が共通の根を有しており、上方に向かってあり状に分かれており且つ逆方向でクリップ状に曲げられている。前記ありは、導線セット時に緊締脚部を弾発させる。しかし、達成されるスペースの節約は、完全に分離された緊締脚部を備えた構成と比較すると極端に少ない。それというのも、共通の根は、個別の緊締脚部のほぼ２倍の幅を有していなければならないからである。
【０００４】
ヨーロッパ特許第０４５４８７６号明細書に基づき公知の２つの部分から成る導線ホルダでは、収容部材において隣り合った２つの保持凹部が、共通の緊締脚部によって分離されており、この緊締脚部には、収容しようとする導線の長手方向で見てずらされた、逆方向に向けられた複数のフックが一体成形されており、これらのフックは、クリップ状に導線に当て付けられる。この場合、一方の保持凹部には既に導線が装着されており、隣接した保持凹部に導線をセットしようとすると、長手方向でずらされたフックにもかかわらず、導線の組込み時の障害が完全には排除され得ない。
【０００５】
この公知の導線ホルダの収容部材及び位置固定フレームは、それぞれ短辺側の端部に係止部材を有しており、これらの係止部材は、位置固定フレームを閉じると互いに係止し合う。ますます多くの様々な導線を１つの導線ホルダによって固定する傾向において、２つの端部における前記係止は、最早十分ではない恐れがあるということが判った。導線の数が増えるにつれて、導線ホルダはより幅広になる必要があり、この場合、収容部材及び位置固定フレームは、最終的に中心に向かって湾曲する傾向がある。
【０００６】
本発明の課題は、複数の異なる供給導線をできるだけスペースを節約して相互に且つ支持体構成部材に固定することを可能にする導線ホルダを提供することであり、この場合、収容しようとする導線の数が増えた場合でも、位置固定フレーム及び／又は収容部材の湾曲が防止されるのが望ましい。
【０００７】
このことは本発明に基づき、緊締脚部によって規定される、異なる保持凹部における緊締域が、互いにずらされていることによって達成される。これにより、保持凹部及び緊締脚部の配置時に著しいスペースの節約が得られ、このスペースの節約は、複数の又は比較的多数の供給導線を狭いスペースに収納することを可能にする。
【０００８】
本発明の第１実施例に基づいて、緊締脚部は互いに向かって傾斜した緊締ノーズを以て、保持凹部を２つの重なり合った平面内で取り囲んでいる。
【０００９】
有利には、１平面内で相並んで延在する２つの保持凹部が、低い隔壁によって互いに分離されており且つ両側で高く引き上げられた２つの緊締脚部によって囲まれている。この場合、これらの緊締脚部の自由端部には、互いに向かって傾けられ且つ曲げられた緊締ノーズが形成されており、これらの緊締ノーズは、隔壁の湾曲された端面と相俟って、別の供給導線のための別の保持凹部を規定している。即ち、複数の導線が２つの平面内で互いに独立して固定され得る。
【００１０】
別の１実施例では、平行に相並んで延在する２つの保持凹部の隣接した緊締脚部が、収容しようとする導線の長手方向で、収容部材の１部分区分にわたってのみ延びており且つ前記長手方向で見て、互いにずらされている。即ち、障害が発生することなしに、スペースを節約しつつ、複数の供給導線を１平面内で互いに固定することができる。
【００１１】
本発明の更に別の有利な実施例では、平行に相並んで延在する２つの保持凹部の隣接した緊締脚部が、収容しようとする導線の長手方向で、収容部材の１部分区分にわたってのみ延びており且つ長手方向でも横方向でも互いにずらされて配置されている。この場合、前記緊締脚部は横方向で部分的にオーバラップしていてよい。２方向でずらされた配置形式及びオーバラップは、付加的なスペースの節約をもたらす。
【００１２】
この実施例の改良形では、相並んで延在する複数の保持凹部の両緊締脚部が、収容しようとする導線の長手方向で、収容部材の１部分区分にわたってのみ延びており且つ互いに接触すること無く、対で長手方向でも横方向でも相互にずらされており、この場合、２つの保持凹部の隣接した緊締脚部は、それぞれ部分的にオーバラップしている。
【００１３】
付加的に、少なくとも１つの保持凹部の緊締脚部は、それぞれ収容しようとする導線の長手方向で、やはり互いにずらされていてよい。この構成は特に、比較的多数の導線を１つの導線ホルダに収容したい場合に有利である。
【００１４】
比較的多数の導線を固定するために設計された導線ホルダにおいて、収容部材及び／又は位置固定フレームが曲がることを防止するためには、これらの収容部材及び位置固定フレームの両短辺側以外に、両長辺側にも係止部材が設けられていてよく、これらの係止部材は、位置固定フレームを収容部材の上位に折り返すと、互いに内外で係止し合う。
【００１５】
収容部材において、支持体構成部材に導線ホルダを固定するための貫通孔を備えた固定柱が、自体公知の形式で保持凹部間に一体成形されている場合は、固定柱に、側方に突出する係止ノーズが設けられていてよく、これらの係止ノーズは、位置固定フレームを収容部材の上位に折り返すと、位置固定フレームの縁部から内向きに突出する爪と相俟って係止する。
【００１６】
以下に、本発明の実施例を図面につき詳しく説明する。
【００１７】
図１から図４には、本発明の第１実施例が示されている。導線ホルダは、ほぼ方形の輪郭を有する収容部材１と、この収容部材１の一方の短辺側と枢着結合された位置固定フレーム２とから成っている。収容部材１には、まず最初に同じ高さで相並んで位置し且つ隔壁３，４によって互いに分離された、例えば横断面直径が４．７５ｍｍの供給導線のための３つの保持凹部５が設けられている。収容部材１の自由端部により近く位置する保持凹部５は、保持凹部対を形成しており且つ円錐形に先細になった低い隔壁３によって互いに分離されている。当該保持凹部対は一緒に、両側で高く引き上げられた、互いに向かって湾曲された緊締脚部６によって囲まれ、これらの緊締脚部６の上端部には、相互に向かい合った緊締ノーズ７が一体成形されている。この場合、これらの緊締ノーズ７は、内面が隔壁３の端面８と相俟って、上側に向かって開いた円弧区分を描くように成形されており、この円弧区分の直径は、図示の実施例では１０ｍｍの別の供給導線の横断面に対応している。内側の緊締脚部６は、この緊締脚部６によって２分された隔壁４と同一線上で、内側に位置する保持凹部５に面して位置しており、この内側の保持凹部５の反対側は、側方で高く突出した２本の支柱９と、これらの支柱の間に位置する、収容部材１の内壁１０に一体成形された固定柱１１とによって制限される。この固定柱１１には、導線ホルダを支持体構成部材（図示せず）に固定することのできるピン又はねじを取り付けるための貫通孔１２が設けられている。隔壁３，４及び支柱９には、それぞれ別の緊締ノーズ７が設けられていてよく、これらの緊締ノーズ７は、保持凹部５を横断面で見て上側の開いた部分円に成形している。隔壁４と内側の緊締脚部６の互いに面した内面、並びに支柱９と固定柱１１の互いに面した内面は、それぞれ自由端部付近で且つ内側に位置する保持凹部５にわたって間隔をあけて、やはり別の供給導線の横断面に対応するように成形されている。
【００１８】
従って、例えばここで説明した収容部材１は、狭いスペースにおいて全部で５本の異なる供給導線を、上下に位置する２平面上に、つまり、保持凹部５内、支柱９と隔壁４の自由端部の間及び隔壁３の端面８とばね弾性的な緊締脚部６の緊締ノーズ７との間に、供給導線を損傷することなく且つ供給導線の組込みを妨げることなく収容することができる。このことは基本的に、個々の供給導線のための緊締部材６，７がずらされて、これらの緊締部材６，７が互いに全く又は最小限にしか影響を及ぼさないか、又は弾発時に妨害し合う恐れのないように、少なくとも部分的にオーバラップするように配置されていることによって達成される。
【００１９】
収容部材１の内壁１０と細長いウェブ１４によって枢着結合された方形の位置固定フレーム２は、両長辺側に各１つの直立した縁部１５を有している。これらの縁部１５には、それぞれ部分円形の対応凹部１６が設けられており、これらの対応凹部１６は、収容部材１の上位に位置固定フレーム２を折り返した際に、緊締脚部６若しくは緊締ノーズ７の自由端部間及び隔壁４と支柱９の自由端部間に規定された円弧を補う若しくは閉じるので、予めセットされた供給導線の位置が確実に保持される。更に、縁部１５には切欠き１７が位置しており、これらの切欠き１７には位置固定フレーム２の折返しに際して、支柱９及び隔壁４の端部が嵌合する。
【００２０】
収容部材１及び位置固定フレーム２の両短辺側には、自体公知のように協働する係止部材１８が設けられており、これらの係止部材１８は、位置固定フレーム２を折り返すと互いに内外で係合し、これにより、導線ホルダを確実に閉じた状態で保持する。
【００２１】
図６〜図１１には、本発明の第２実施例が示されている。基本形は上で説明したのと同様である。方形の収容部材１と方形の位置固定フレーム２とが、隣接した短辺側で互いに枢着結合されている。収容部材１には、ここでは３本の供給導線のための保持凹部５が設けられており、これらの保持凹部５は、供給導線を収容するための、互いに面した緊締ノーズ７を備えた、クリップ状に成形された弾発可能な緊締脚部６によって囲まれている。この場合、固定ピン又は固定ねじを取り付けるための貫通孔１２を備えた固定柱１１が、収容部材１の自由端部に最も近く延在する保持凹部５を、該保持凹部５の緊締脚部６と一緒に保持凹部対５から分離している。これらの２つの保持凹部５の互いにすぐ隣接した内側の緊締脚部６も互いに完全に独立しており、更に、これらの内側の緊締脚部６は収容しようとする導線の長手方向で、それぞれ該当する保持凹部５の１部分にわたってしか延在しておらず且つ保持凹部５の長手方向でも、横方向軸線の方向でもずらされて配置されている。この場合、有利には、図８及び図９から判るように、２つの保持凹部５の隣接した緊締脚部６は、横方向軸線の方向でオーバラップしている。この配置形式及び構成によって、内側の緊締脚部６も互いに完全に分離されるので、供給導線をセットする際は全く障害が発生する恐れがなく、更に、ずらされてオーバラップした配置形式に基づいて、導線はスペースを節約して互いに極めて近くで並んで位置するようになる。互いにずらされた緊締脚部６の間の横方向軸線上には補強部材１９が配置されていてよく、これにより、保持部材における誤った組込みが防止され且つ保持部材を損傷から保護する。
【００２２】
供給導線をセットした後で、位置固定フレーム２が収容部材１の上位へ折り返されると、この場合も位置固定フレーム２の長辺側の縁部１５に設けられた対応凹部１６が、保持凹部５を横断面で見て閉じられた円を成すように補う（図７参照）ので、導線は確実に固定されている。収容部材１及び位置固定フレーム２の短辺側には、位置固定フレーム２の折返し後に導線ホルダを閉鎖して保持する、公知の形式で設けられた複数の協働する係止部材１８の他に、更に、このように働く別の位置固定部材が設けられていてよい。このために図示の実施例では、固定柱１１の両側で突出した係止ノーズ２０が設けられており、これらの係止ノーズ２０は、位置固定フレーム２の両縁部１５に一体成形された、内側に向けられた爪２１と協働する。この付加的な位置固定部材は、特に比較的多数の導線を収容するために形成された導線ホルダにおいて有利である。
【００２３】
図１２〜図１５に示した本発明の１実施例は、既に説明した基本形から出発して、１平面内で５本の様々な供給導線を保持し且つ相互に固定するために設計されている。方形の収容部材１には、貫通孔１２を備えた固定柱１１の両側に、横断面も異なる５本の様々な供給導線のための保持凹部５が設けられている。収容部材１の自由端部と固定柱１１との間には、図示の実施例では３本の同一横断面の導線のための保持凹部５が設けられており、固定柱１１と、位置固定フレーム２に結合された端部との間には、比較的大きな異なる横断面の２本の導線のための保持凹部５が設けられている。これらの保持凹部５は、それぞれ緊締ノーズ７を備えてクリップ状に成形された別個の緊締脚部６の対によって囲まれる。緊締脚部６は、収容しようとする導線の長手方向で見て、収容部材１の一部の区分にわたってしか延在しておらず且つ緊締脚部６又は収容しようとする導線の相互障害又は損傷が発生する恐れのないように、収容しようとする導線の長手方向でも横方向でも、対で互いにずらされている。この場合、有利には、相並んで延在する２つの保持凹部５の隣接した緊締脚部６が、横方向で見て少なくとも部分的に、但しお互いに接触することなくオーバラップしている。従って、複数の（図示の実施例では５本）種々異なる供給導線が、狭いスペースで相並んで位置するように、導線ホルダによって収容され且つ位置固定され得る。この実施例でも、位置固定フレーム２の縁部１５に、保持凹部５に対する対応凹部１６が設けられており、これらの対応凹部１６は、位置固定フレーム２が収容部材１の上位へ折り返されると、緊締脚部６に接触して保持凹部５を閉鎖するか、若しくは緊締脚部６以外の範囲内では導線に密着するので、導線は確実に把持されている。
【００２４】
収容部材１及び位置固定フレーム２の両短辺側に設けられた係止部材１８の他に、ここでも導線ホルダを閉鎖された状態（図１３参照）で位置固定するためには、固定柱１１の側方から突出した付加部２２に係止ノーズ２０が設けられており、これらの係止ノーズ２０は、位置固定フレーム２の縁部１５から内側に向かって突出する爪２１と協働する。
【００２５】
同じ基本形から出発する本発明の別の実施例が、図１６〜図１８に示されている。図１２〜図１５に示した実施例の場合と同様に、ここでも収容部材１には固定柱１１の一方の側に、２つの異なる直径を備えた供給導線のための３つの保持凹部５が設けられており且つ固定柱１１の他方の側には、この場合はより大きな別の直径の供給導線のための２つの保持凹部５が設けられている。この場合、これらの２本のより太い導線のための保持凹部５の緊締脚部６はずらされているのではなく、対で１線上に位置している。前者の３つの保持凹部５の緊締脚部６は、既に図１２〜図１５の実施例に関連して説明したように、収容しようとする導線の長手方向でも横方向でも、対でずらされている。更に、少なくとも１つの保持凹部５（図示のケースでは最も外側に設けられた保持凹部５）の両緊締脚部６は、それぞれ付加的に、収容しようとする導線の長手方向で互いにずらされている。このことは、導線の緊締域が大幅に短縮される必要無しに、隣り合う保持凹部５をその緊締脚部６と一緒に、第１の保持凹部５に更に近づけることを可能にする。
【図面の簡単な説明】
【００２６】
【図１】本発明の第１実施例の未だ開放された状態の斜視図を、縮小された縮尺で示した図である。
【００２７】
【図２】図１に示した実施例の閉鎖された状態を側面から見た図である。
【００２８】
【図３】図１に示した実施例の軸線Ａ−Ａに沿って断面された区分を、拡大された縮尺で示した図である。
【００２９】
【図４】図１に示した実施例の平面図を、図３の縮尺で示した図である。
【００３０】
【図５】同一実施例を、図４に対して９０°だけ傾動させた図である。
【００３１】
【図６】本発明の第２実施例の未だ開放された状態の斜視図を、縮小された縮尺で示した図である。
【００３２】
【図７】図６に示した実施例の閉鎖された状態を側面から見た図である。
【００３３】
【図８】図６に示した実施例の未だ開放された状態を、拡大された縮尺で示した側面図である。
【００３４】
【図９】図６に示した実施例の開放された状態を、図８の縮尺で示した平面図である。
【００３５】
【図１０】図９に示した軸線Ａ−Ａに沿った断面図である。
【００３６】
【図１１】図１０に示した実施例の閉鎖された状態を示した断面図である。
【００３７】
【図１２】本発明の第３実施例の未だ開放された状態を、縮小された縮尺で示した斜視図である。
【００３８】
【図１３】図１２に示した実施例の閉鎖された状態を示した側面図である。
【００３９】
【図１４】図１２に示した実施例の開放された状態を、拡大された縮尺で示した側面図である。
【００４０】
【図１５】図１２に示した実施例の開放された状態を、図１４の縮尺で示した平面図である。
【００４１】
【図１６】本発明の第４実施例の開放された状態を、拡大された縮尺で示した側面図である。
【００４２】
【図１７】図１６に示した実施例の平面図である。
【００４３】
【図１８】図１６に示した実施例の閉鎖された状態を、縮小された縮尺で示した側面図である。
【符号の説明】
【００４４】
１  収容部材、  ２  位置固定フレーム、  ３，４  隔壁、  ５  保持凹部、  ６  緊締脚部、  ７  緊締ノーズ、  ８  端面、  ９  支柱、  １０  内壁、  １１  固定柱、  １２  貫通孔、  １４  ウェブ、  １５  縁部、  １６  対応凹部、  １７  切欠き、  １８  係止部材、  １９  補強部材、  ２０  係止ノーズ、  ２１  爪、  ２２  付加部
【図１】
2005536972.tif 000003
【図２】
2005536972.tif 000004
【図３】
2005536972.tif 000005
【図４】
2005536972.tif 000006
【図５】
2005536972.tif 000007
【図６】
2005536972.tif 000008
【図７】
2005536972.tif 000009
【図８】
2005536972.tif 000010
【図９】
2005536972.tif 000011
【図１０】
2005536972.tif 000012
【図１１】
2005536972.tif 000013
【図１４】
2005536972.tif 000014
【図１５】
2005536972.tif 000015
【図１２】
2005536972.tif 000016
【図１３】
2005536972.tif 000017
【図１６】
2005536972.tif 000018
【図１７】
2005536972.tif 000019
【図１８】
2005536972.tif 000020
【手続補正書】
【提出日】平成16年3月24日(2004.3.24)
【手続補正１】
【補正対象書類名】明細書
【補正対象項目名】全文
【補正方法】変更
【補正の内容】
【発明の詳細な説明】
【技術分野】
【０００１】
本発明は、相並んで延在する異なる種類の供給導線又は別の細長い構成部材を支持体構成部材に固定するため及び／又は前記のような相並んで延在する供給導線又は細長い構成部材を相互に固定するための導線ホルダであって、収容部材と、該収容部材に形成された、当該導線横断面に適合された保持凹部と、これらの保持凹部の両側に一体成形されて互いに向かって傾斜した、収容しようとする導線の長手方向で収容部材の１部分区分にわたってのみ延びる緊締脚部と、収容部材の上位に折り返すことのできる位置固定フレームと、該位置固定フレームに、収容部材の保持凹部に対して相補的に形成された、やはり導線横断面に適合された対応凹部とから成っており、しかも、収容部材及び位置固定フレームの両端部に、位置固定フレームを収容部材の上位へ折り返すと相互に係止し合う係止部材が一体成形されている形式のものに関する。
【０００２】
このような形式の導線ホルダはドイツ連邦共和国特許出願公開第２４４６１３３号明細書に基づき公知であり、この公知の導線ホルダでは、収容部材に一体成形された、種々様々な導線の隣り合った緊締脚部が共通の根を有しており、上方に向かってあり状に分かれており且つ逆方向でクリップ状に曲げられている。この公知の導線ホルダにおける欠点は、特に保持しようとする導線が多数の場合に、横方向の寸法が比較的大きくなることである。
【０００３】
ヨーロッパ特許第０６８３３４３号明細書に基づき公知の導線ホルダは、同様に形成されて、保持凹部の両側に、当該保持凹部の長手方向で互いに対向位置する緊締脚部対を有しており、この場合、相並んで配置された保持凹部の緊締脚部対は、それぞれ長手方向で見てずらされて配置されている。この導線ホルダでは、収容部材に折り返される位置固定フレームの代わりに、保持凹部の方向に向けられた羽根区分が緊締脚部に取り付けられている。この公知の導線ホルダにおける欠点は、比較的多数の導線が相並んで配置された場合に収容部材が曲がってしまい、導線が保持凹部から滑り出る恐れがあるという危険性である。
【０００４】
特に車両製造において、異なる種類の、即ち例えば燃料及び／又は電流ケーブル用の複数の供給導線をできるだけ狭いスペースに収納すると同時に、相互に且つ例えば車体パネル等の支持体構成部材に対しても位置固定するという要求が一般にある。この場合、供給導線は勿論相互に妨害し合うことは許されず、供給導線の組込みも不必要に妨げられることは許されない。ドイツ連邦共和国特許出願公開第３８０２６９８号明細書に基づき公知の導線ホルダでは、一方の側に、ピンに被せ嵌めることのできる緊締体の他に１保持凹部が設けられており、他方の側に、導管用の相並んだ２つの保持凹部が設けられている。この場合、各保持凹部には２つの緊締脚部が所属しており、これらの緊締脚部は、当該導管をクリップ状に取り囲んでいる。この場合、相並んで配置された２つの保持凹部の隣り合った緊締脚部は互いに間隔を保持しており、この間隔には、導線セット後に位置固定フレームが閉じられると、この位置固定フレームが緊締部材を以て係合する。保持凹部と隣り合った緊締脚部との間の間隔に基づいて、導線は組込みに際しても損傷はされない。他方では、この公知の導線ホルダは全部で３本だけの供給導線のために比較的多くのスペースを必要とし、このことは、別の供給導線が加えられた場合に、更に不利な結果をもたらす。
【０００５】
ヨーロッパ特許第０４５４８７６号明細書に基づき公知の２つの部分から成る導線ホルダでは、収容部材において隣り合った２つの保持凹部が、共通の緊締脚部によって分離されており、この緊締脚部には、収容しようとする導線の長手方向で見てずらされた、逆方向に向けられた複数のフックが一体成形されており、これらのフックは、クリップ状に導線に当て付けられる。この場合、一方の保持凹部には既に導線が装着されており、隣接した保持凹部に導線をセットしようとすると、長手方向でずらされたフックにもかかわらず、導線の組込み時の障害が完全には排除され得ない。
【０００６】
この公知の導線ホルダの収容部材及び位置固定フレームは、それぞれ短辺側の端部に係止部材を有しており、これらの係止部材は、位置固定フレームを閉じると互いに係止し合う。ますます多くの様々な導線を１つの導線ホルダによって固定する傾向において、２つの端部における前記係止は、最早十分ではない恐れがあるということが判った。導線の数が増えるにつれて、導線ホルダはより幅広になる必要があり、この場合、収容部材及び位置固定フレームは、最終的に中心に向かって湾曲する傾向がある。
【０００７】
本発明の課題は、冒頭で述べた形式の導線ホルダを改良して、複数の異なる供給導線を、スペースを節約して相互に且つ支持体構成部材に固定することであり、この場合、収容しようとする導線が比較的多数の場合でも、位置固定フレーム及び／又は収容部材の湾曲は概ね防止されている。
【０００８】
この課題は、冒頭で述べた形式の導線ホルダにおいて本発明に基づき、相並んで延在する複数の保持凹部の緊締脚部が、対になって互いに接触すること無く、長手方向でも横方向でも相互にずらされており、しかも、２つの保持凹部の隣り合った緊締脚部が部分的にオーバラップしており、少なくとも１つの保持凹部の緊締脚部が、収容しようとする導線の長手方向で互いにずらされていることによって解決される。
【０００９】
本発明による導線ホルダでは、緊締脚部が互いに２方向でずらされていることによって、保持しようとする導線が比較的多数の場合でも、あまりスペースをとらない構成が可能になり、この構成は、不都合な変形の危険を低下させつつ、支持体構成部材及び位置固定フレームの寸法を比較的小さく保持することを可能にする。
【００１０】
本発明の別の有利な構成は、従属請求項に記載されている。
【００１１】
以下に、本発明の実施例を図面につき詳しく説明する。
【００１２】
図１から図５には、本発明の第１実施例が示されている。導線ホルダは、ほぼ方形の輪郭を有する収容部材１と、この収容部材１の一方の短辺側と枢着結合された位置固定フレーム２とから成っている。収容部材１には、まず最初に同じ高さで相並んで位置し且つ隔壁３，４によって互いに分離された、例えば横断面直径が４．７５ｍｍの供給導線のための３つの保持凹部５が設けられている。収容部材１の自由端部により近く位置する保持凹部５は、保持凹部対を形成しており且つ円錐形に先細になった低い隔壁３によって互いに分離されている。当該保持凹部対は一緒に、両側で高く引き上げられた、互いに向かって湾曲された緊締脚部６によって囲まれ、これらの緊締脚部６の上端部には、相互に向かい合った緊締ノーズ７が一体成形されている。この場合、これらの緊締ノーズ７は、内面が隔壁３の端面８と相俟って、上側に向かって開いた円弧区分を描くように成形されており、この円弧区分の直径は、図示の実施例では１０ｍｍの別の供給導線の横断面に対応している。内側の緊締脚部６は、この緊締脚部６によって２分された隔壁４と同一線上で、内側に位置する保持凹部５に面して位置しており、この内側の保持凹部５の反対側は、側方で高く突出した２本の支柱９と、これらの支柱の間に位置する、収容部材１の内壁１０に一体成形された固定柱１１とによって制限される。この固定柱１１には、導線ホルダを支持体構成部材（図示せず）に固定することのできるピン又はねじを取り付けるための貫通孔１２が設けられている。隔壁３，４及び支柱９には、それぞれ別の緊締ノーズ７が設けられていてよく、これらの緊締ノーズ７は、保持凹部５を横断面で見て上側の開いた部分円に成形している。隔壁４と内側の緊締脚部６の互いに面した内面、並びに支柱９と固定柱１１の互いに面した内面は、それぞれ自由端部付近で且つ内側に位置する保持凹部５にわたって間隔をあけて、やはり別の供給導線の横断面に対応するように成形されている。
【００１３】
従って、例えばここで説明した収容部材１は、狭いスペースにおいて全部で５本の異なる供給導線を、上下に位置する２平面上に、つまり、保持凹部５内、支柱９と隔壁４の自由端部の間及び隔壁３の端面８とばね弾性的な緊締脚部６の緊締ノーズ７との間に、供給導線を損傷することなく且つ供給導線の組込みを妨げることなく収容することができる。このことは基本的に、個々の供給導線のための緊締部材６，７がずらされて、これらの緊締部材６，７が互いに全く又は最小限にしか影響を及ぼさないか、又は弾発時に妨害し合う恐れのないように、少なくとも部分的にオーバラップするように配置されていることによって達成される。
【００１４】
収容部材１の内壁１０と細長いウェブ１４によって枢着結合された方形の位置固定フレーム２は、両長辺側に各１つの直立した縁部１５を有している。これらの縁部１５には、それぞれ部分円形の対応凹部１６が設けられており、これらの対応凹部１６は、収容部材１の上位に位置固定フレーム２を折り返した際に、緊締脚部６若しくは緊締ノーズ７の自由端部間及び隔壁４と支柱９の自由端部間に規定された円弧を補う若しくは閉じるので、予めセットされた供給導線の位置が確実に保持される。更に、縁部１５には切欠き１７が位置しており、これらの切欠き１７には位置固定フレーム２の折返しに際して、支柱９及び隔壁４の端部が嵌合する。
【００１５】
収容部材１及び位置固定フレーム２の両短辺側には、自体公知のように協働する係止部材１８が設けられており、これらの係止部材１８は、位置固定フレーム２を折り返すと互いに内外で係合し、これにより、導線ホルダを確実に閉じた状態で保持する。
【００１６】
図６〜図１１には、本発明の第２実施例が示されている。基本形は上で説明したのと同様である。方形の収容部材１と方形の位置固定フレーム２とが、隣接した短辺側で互いに枢着結合されている。収容部材１には、ここでは３本の供給導線のための保持凹部５が設けられており、これらの保持凹部５は、供給導線を収容するための、互いに面した緊締ノーズ７を備えた、クリップ状に成形された弾発可能な緊締脚部６によって囲まれている。この場合、固定ピン又は固定ねじを取り付けるための貫通孔１２を備えた固定柱１１が、収容部材１の自由端部に最も近く延在する保持凹部５を、該保持凹部５の緊締脚部６と一緒に保持凹部対５から分離している。これらの２つの保持凹部５の互いにすぐ隣接した内側の緊締脚部６も互いに完全に独立しており、更に、これらの内側の緊締脚部６は収容しようとする導線の長手方向で、それぞれ該当する保持凹部５の１部分にわたってしか延在しておらず且つ保持凹部５の長手方向でも、横方向軸線の方向でもずらされて配置されている。この場合、有利には、図８及び図９から判るように、２つの保持凹部５の隣接した緊締脚部６は、横方向軸線の方向でオーバラップしている。この配置形式及び構成によって、内側の緊締脚部６も互いに完全に分離されるので、供給導線をセットする際は全く障害が発生する恐れがなく、更に、ずらされてオーバラップした配置形式に基づいて、導線はスペースを節約して互いに極めて近くで並んで位置するようになる。互いにずらされた緊締脚部６の間の横方向軸線上には補強部材１９が配置されていてよく、これにより、保持部材における誤った組込みが防止され且つ保持部材を損傷から保護する。
【００１７】
供給導線をセットした後で、位置固定フレーム２が収容部材１の上位へ折り返されると、この場合も位置固定フレーム２の長辺側の縁部１５に設けられた対応凹部１６が、保持凹部５を横断面で見て閉じられた円を成すように補う（図７参照）ので、導線は確実に固定されている。収容部材１及び位置固定フレーム２の短辺側には、位置固定フレーム２の折返し後に導線ホルダを閉鎖して保持する、公知の形式で設けられた複数の協働する係止部材１８の他に、更に、このように働く別の位置固定部材が設けられていてよい。このために図示の実施例では、固定柱１１の両側で突出した係止ノーズ２０が設けられており、これらの係止ノーズ２０は、位置固定フレーム２の両縁部１５に一体成形された、内側に向けられた爪２１と協働する。この付加的な位置固定部材は、特に比較的多数の導線を収容するために形成された導線ホルダにおいて有利である。
【００１８】
図１２〜図１５に示した本発明の１実施例は、既に説明した基本形から出発して、１平面内で５本の様々な供給導線を保持し且つ相互に固定するために設計されている。方形の収容部材１には、貫通孔１２を備えた固定柱１１の両側に、横断面も異なる５本の様々な供給導線のための保持凹部５が設けられている。収容部材１の自由端部と固定柱１１との間には、図示の実施例では３本の同一横断面の導線のための保持凹部５が設けられており、固定柱１１と、位置固定フレーム２に結合された端部との間には、比較的大きな異なる横断面の２本の導線のための保持凹部５が設けられている。これらの保持凹部５は、それぞれ緊締ノーズ７を備えてクリップ状に成形された別個の緊締脚部６の対によって囲まれる。緊締脚部６は、収容しようとする導線の長手方向で見て、収容部材１の一部の区分にわたってしか延在しておらず且つ緊締脚部６又は収容しようとする導線の相互障害又は損傷が発生する恐れのないように、収容しようとする導線の長手方向でも横方向でも、対で互いにずらされている。この場合、有利には、相並んで延在する２つの保持凹部５の隣接した緊締脚部６が、横方向で見て少なくとも部分的に、但しお互いに接触することなくオーバラップしている。従って、複数の（図示の実施例では５本）種々異なる供給導線が、狭いスペースで相並んで位置するように、導線ホルダによって収容され且つ位置固定され得る。この実施例でも、位置固定フレーム２の縁部１５に、保持凹部５に対する対応凹部１６が設けられており、これらの対応凹部１６は、位置固定フレーム２が収容部材１の上位へ折り返されると、緊締脚部６に接触して保持凹部５を閉鎖するか、若しくは緊締脚部６以外の範囲内では導線に密着するので、導線は確実に把持されている。
【００１９】
収容部材１及び位置固定フレーム２の両短辺側に設けられた係止部材１８の他に、ここでも導線ホルダを閉鎖された状態（図１３参照）で位置固定するためには、固定柱１１の側方から突出した付加部２２に係止ノーズ２０が設けられており、これらの係止ノーズ２０は、位置固定フレーム２の縁部１５から内側に向かって突出する爪２１と協働する。
【００２０】
同じ基本形から出発する本発明の別の実施例が、図１６〜図１８に示されている。図１２〜図１５に示した実施例の場合と同様に、ここでも収容部材１には固定柱１１の一方の側に、２つの異なる直径を備えた供給導線のための３つの保持凹部５が設けられており且つ固定柱１１の他方の側には、この場合はより大きな別の直径の供給導線のための２つの保持凹部５が設けられている。この場合、これらの２本のより太い導線のための保持凹部５の緊締脚部６はずらされているのではなく、対で１線上に位置している。前者の３つの保持凹部５の緊締脚部６は、既に図１２〜図１５の実施例に関連して説明したように、収容しようとする導線の長手方向でも横方向でも、対でずらされている。更に、少なくとも１つの保持凹部５（図示のケースでは最も外側に設けられた保持凹部５）の両緊締脚部６は、それぞれ付加的に、収容しようとする導線の長手方向で互いにずらされている。このことは、導線の緊締域が大幅に短縮される必要無しに、隣り合う保持凹部５をその緊締脚部６と一緒に、第１の保持凹部５に更に近づけることを可能にする。
【図面の簡単な説明】
【００２１】
【図１】本発明の第１実施例の未だ開放された状態の斜視図を、縮小された縮尺で示した図である。
【００２２】
【図２】図１に示した実施例の閉鎖された状態を側面から見た図である。
【００２３】
【図３】図１に示した実施例の軸線Ａ−Ａに沿って断面された区分を、拡大された縮尺で示した図である。
【００２４】
【図４】図１に示した実施例の平面図を、図３の縮尺で示した図である。
【００２５】
【図５】同一実施例を、図４に対して９０°だけ傾動させた図である。
【００２６】
【図６】本発明の第２実施例の未だ開放された状態の斜視図を、縮小された縮尺で示した図である。
【００２７】
【図７】図６に示した実施例の閉鎖された状態を側面から見た図である。
【００２８】
【図８】図６に示した実施例の未だ開放された状態を、拡大された縮尺で示した側面図である。
【００２９】
【図９】図６に示した実施例の開放された状態を、図８の縮尺で示した平面図である。
【００３０】
【図１０】図９に示した軸線Ａ−Ａに沿った断面図である。
【００３１】
【図１１】図１０に示した実施例の閉鎖された状態を示した断面図である。
【００３２】
【図１２】本発明の第３実施例の未だ開放された状態を、縮小された縮尺で示した斜視図である。
【００３３】
【図１３】図１２に示した実施例の閉鎖された状態を示した側面図である。
【００３４】
【図１４】図１２に示した実施例の開放された状態を、拡大された縮尺で示した側面図である。
【００３５】
【図１５】図１２に示した実施例の開放された状態を、図１４の縮尺で示した平面図である。
【００３６】
【図１６】本発明の第４実施例の開放された状態を、拡大された縮尺で示した側面図である。
【００３７】
【図１７】図１６に示した実施例の平面図である。
【００３８】
【図１８】図１６に示した実施例の閉鎖された状態を、縮小された縮尺で示した側面図である。
【符号の説明】
【００３９】
１  収容部材、  ２  位置固定フレーム、  ３，４  隔壁、  ５  保持凹部、  ６  緊締脚部、  ７  緊締ノーズ、  ８  端面、  ９  支柱、  １０  内壁、  １１  固定柱、  １２  貫通孔、  １４  ウェブ、  １５  縁部、  １６  対応凹部、  １７  切欠き、  １８  係止部材、  １９  補強部材、  ２０  係止ノーズ、  ２１  爪、  ２２  付加部
【手続補正２】
【補正対象書類名】特許請求の範囲
【補正対象項目名】全文
【補正方法】変更
【補正の内容】
【特許請求の範囲】
【請求項１】
相並んで延在する異なる種類の供給導線又は別の細長い構成部材を支持体構成部材に固定するため及び／又は前記のような相並んで延在する供給導線又は細長い構成部材を相互に固定するための導線ホルダであって、収容部材と、該収容部材に形成された、当該導線横断面に適合された保持凹部と、これらの保持凹部の両側に一体成形されて互いに向かって傾斜した、収容しようとする導線の長手方向で収容部材の１部分区分にわたってのみ延びる緊締脚部と、収容部材の上位に折り返すことのできる位置固定フレームと、該位置固定フレームに、収容部材の保持凹部に対して相補的に形成された、やはり導線横断面に適合された対応凹部とから成っており、しかも、収容部材及び位置固定フレームの両端部に、位置固定フレームを収容部材の上位へ折り返すと相互に係止し合う係止部材が一体成形されている形式のものにおいて、
相並んで延在する複数の保持凹部（５）の緊締脚部（６）が、対になって互いに接触すること無く、長手方向でも横方向でも相互にずらされており、しかも、２つの保持凹部（５）の隣り合った緊締脚部（６）が部分的にオーバラップしており、少なくとも１つの保持凹部（５）の緊締脚部（６）が、収容しようとする導線の長手方向で互いにずらされていることを特徴とする、導線ホルダ。
【請求項２】
緊締脚部（６）が互いに向かって傾斜した緊締ノーズ（７）を以て、重なり合って位置する２平面内で保持凹部（５，５'）を囲んでいる、請求項１記載の導線ホルダ。
【請求項３】
１平面内で相並んで延在する２つの保持凹部（５）が、低い隔壁（３）によって互いに分離されており且つ両側で高く引き上げられた２つの緊締脚部（６）によって囲まれており、これらの緊締脚部（６）の自由端部に、互いに向かって傾けられ且つ曲げられた緊締ノーズ（７）が形成されており、これらの緊締ノーズが、隔壁（３）の湾曲された端面（８）と相俟って、別の供給導線のための別の保持凹部（５）を規定している、請求項１記載の導線ホルダ。
【国際調査報告】
2005536972.tif 000021
2005536972.tif 000022
2005536972.tif 000023
2005536972.tif 000024
2005536972.tif 000025
2005536972.tif 000026